(57)【要約】      （修正有）【課題】簡単な操作によって、携帯端末を収納、又は取外すことのできる携帯端末用ケースを提供する。【解決手段】携帯端末用ケースＹは、第１及び第２平板５，６を有する背側カバー本体１と、第１平板５に設けられた第１保持体２と、第２平板６に設けられた第２保持体３を備える。第２平板６を回転することにより、背側カバー本体１を、第１態様にして、携帯端末Ｙを第１平板５の裏面に載置して第１保持体２にて保持する。第１態様から第２平板６を回転して、第１平板５の裏面に載置された携帯端末Ｙの他方端末側面Ｙ４の裏面側に第２保持体３の第２保持突起部３２を当接して、背側カバー本体１を第２態様にする。第２態様から押上力にて第２平板６を回転して、第１態様にて第１平板５の裏面に載置された携帯端末Ｙを第２平板６の裏面６Ｙにも載置する。【選択図】図１９
0003212723.tif 000002
【実用新案登録請求の範囲】
【請求項１】
矩形状の第１平板、前記第１平板の一方側端に並設される矩形状の第２平板、前記第１及び第２平板の一方側端の間に配置され、前記第１及び第２平板を回転自在に連結する第１ヒンジ部と、を有し、略直方体状の携帯端末を端末裏面から前記第１及び第２平板の裏面に載置する背側カバー本体と、
前記第１平板の上端、下端及び他方側端に配置され、前記第１平板の裏面に立設され、前記第１平板の裏面に載置された前記携帯端末の端末上面、端末下面及び一方端末側面に当接する第１保持側部、前記第１平板の裏面に間隔を隔てて対向配置され、前記第１保持側部に設けられ、前記第１平板の裏面に載置された前記携帯端末の端末表面に当接する第１保持突起部と、を有する第１保持体と、
前記第２平板の他方側端に配置され、前記第１保持側部に対峙して前記第２平板の裏面に立設され、前記第１及び第２平板の裏面に載置された前記携帯端末の円孤突状の他方端末側面に当接する第２保持側部、前記第２保持側部の先端側に設けられ、前記第１保持側部側に突出され、前記第１及び第２平板の裏面に載置された前記携帯端末の他方端末側面の表面側に当接する第２保持突起部と、を有する第２保持体と、を含んで備え、
前記背側カバー本体は、
前記第２平板を回転して、前記携帯端末を一方端末側面から前記第１平板及び前記第１保持突起部の間に装着し、当該携帯端末の端末上面、端末下面及び一方端末側面を前記第１保持側部に当接して、前記第１平板の裏面に載置可能とする第１態様と、
前記第１態様から前記第２平板を回転して、前記第１態様にて前記第１平板の裏面に載置された前記携帯端末の他方端末側面の裏面側に前記第２保持突起部を当接する第２態様と、
前記第２態様において、前記第２平板に作用する一定力を超える押上力によって、前記第２平板を回転して、前記第１態様にて前記第１平板の裏面に載置された前記携帯端末を前記第２平板の裏面に載置する第３態様と、
前記第３態様において、前記第２平板に作用する一定力を超える押下力によって、前記第２平板を回転して、前記第１及び第２平板の裏面に載置された前記携帯端末を前記第２保持側部の先端から離間する第４態様と、にされ、
前記第２保持体は、
前記第２態様から第３態様への前記第２平板の回転に伴って、前記第２保持突起部を前記携帯端末の他方端末側面に摺動し、当該第２保持突起部の摺動にて前記第２保持側部を前記第２平板の他方側端外方に弾性変形して、前記第１態様にて前記第１平板の裏面に載置された前記携帯端末を前記第２平板の裏面に載置可能とし、
前記第３態様から前記第４態様への前記第２平板の回転に伴って、前記第２保持突起部を前記携帯端末の他方端末側面に摺動し、当該第２保持突起部の摺動にて前記第２保持側部を前記第２平板の他方側端外方へ弾性変形して、前記第３態様にて前記第１及び第２平板の裏面に載置された前記携帯端末を前記第２保持側部の先端から離間可能とする
ことを特徴とする携帯端末用ケース。
【請求項２】
前記第２平板の他方側端に並設される矩形状のカバー平板、前記第２平板の他方側端及び前記カバー平板の一方側端の間に配置され、前記第２平板及び前記カバー平板を回転自在に連結する第２ヒンジ部と、を有する表側カバー本体を備え、
前記カバー平板は、
前記第１保持体側へ回転されて、前記第１及び第２平板の裏面に載置された前記携帯端末の端末表面を覆い、及び前記第１保持突起部に載置される
ことを特徴とする請求項１に記載の携帯端末用ケース。
【請求項３】
前記第２ヒンジ部は、
前記カバー平板の前記第１保持体への回転に伴って、前記第２保持側部を挿入する逃穴を有する
ことを特徴とする請求項２に記載の携帯端末用ケース。
【請求項４】
前記第１保持突起部は、
永久磁石板を埋設して有し、
前記カバー平板は、
磁性材料でなる芯平板を有し、
前記芯平板は、
前記カバー平板の前記第１保持体への回転に伴って、前記永久磁石板に対向して前記第１保持突起部に載置され、前記永久磁石板に離間自在に吸着される
ことを特徴とする請求項２又は請求項３に記載の携帯端末用ケース。
【考案の詳細な説明】
【技術分野】
【０００１】
本考案は、携帯端末（スマートフォン等）を収納して保護する携帯端末用ケースに関する。
【背景技術】
【０００２】
携帯端末用ケースの技術として、特許文献１は、前面カバー及び背面カバーで構成される携帯端末ケースを開示する。前面カバー及び背面カバーは、弾力性及び強靭性を合わせ持つ高分子化合物で形成される。
特許文献では、背面カバーを弾性変形して、携帯端末の背面及び側面に密着し、更に前面カバーを弾性変形して、携帯端末の前面及び側面に密着して、携帯端末を携帯端末ケースに収納する。
【先行技術文献】
【特許文献】
【０００３】
【特許文献１】特開２０１７−４６０８７号公報
【考案の概要】
【考案が解決しようとする課題】
【０００４】
特許文献１では、前面カバー及び背面カバーを弾性変形して、携帯端末の背面、前面及び側面に密着しているので、携帯端末を携帯端末ケースに収納すること、及び携帯端末を携帯端末ケースから取出すことが煩雑で時間を要する。
【０００５】
本考案は、簡単な操作によって、携帯端末を収納でき、及び携帯端末を取外すことのできる携帯端末用ケースを提供することにある。
【課題を解決するための手段】
【０００６】
本考案に係る請求項１は、矩形状の第１平板、前記第１平板の一方側端に並設される矩形状の第２平板、前記第１及び第２平板の一方側端の間に配置され、前記第１及び第２平板を回転自在に連結する第１ヒンジ部と、を有し、略直方体状の携帯端末の端末裏面から前記第１及び第２平板の裏面に載置する背側カバー本体と、前記第１平板の上端、下端及び他方側端に配置され、前記第１平板の裏面に立設され、前記第１平板の裏面に載置された前記携帯端末の端末上面、端末下面及び一方端末側面に当接する第１保持側部、前記第１平板の裏面に間隔を隔てて対向配置され、前記第１保持側部に設けられ、前記第１平板の裏面に載置された前記携帯端末の端末表面に当接する第１保持突起部と、を有する第１保持体と、前記第２平板の他方側端に配置され、第１保持側部に対峙して前記第２平板の裏面に立設され、前記第１及び第２平板の裏面に載置された前記携帯端末の他方端末側面に当接する第２保持側部、前記第２保持側部の先端側に設けられ、前記第１保持側部側に突出され、前記第１及び第２平板の裏面に載置された前記携帯端末の円孤突状の他方端末側面の表面側に当接する第２保持突起部と、を有する第２保持体と、を含んで構成され、前記背側カバー本体は、前記第２平板を回転して、前記携帯端末を一方端末側面から前記第１平板及び前記第１保持突起部の間に装着し、当該携帯端末の端末上面、端末下面及び一方端末側面を前記第１保持側部に当接して、前記第１平板の裏面に載置可能とする第１態様と、前記第１態様から前記第２平板を回転して、前記第1態様にて前記第１平板の裏面に載置された前記携帯端末の他方端末側面の裏面側に前記第２保持突起部を当接する第２態様と、前記第２態様において、前記第２平板に作用する一定力を超える押上力によって、前記第２平板を回転して、前記第１態様にて前記第１平板の裏面に載置された前記携帯端末を前記第２平板の裏面に載置する第３態様と、前記第３態様において、前記第２平板に作用する一定力を超える押下力によって、前記第２平板を回転して、前記第１及び第２平板の裏面に載置された前記携帯端末を前記第２保持側部の先端から離間する第４態様と、にされ、前記第２保持体は、前記第２態様から第３態様への前記第２平板の回転に伴って、前記第２保持突起部を前記携帯端末の他方端末側面に摺動し、当該第２保持突起部の摺動にて前記第２保持側部を前記第２平板の他方側端外方に弾性変形して、前記第１態様にて前記第１平板の裏面に載置された前記携帯端末を前記第２平板の裏面に載置可能とし、前記第３態様から前記第４態様への前記第２平板の回転に伴って、前記第２保持突起部を前記携帯端末の他方端末側面に摺動し、当該第２保持突起部の摺動にて前記第２保持側部を前記第２平板の他方側端外方へ弾性変形して、前記第３態様にて前記第１及び第２平板の裏面に載置された前記携帯端末を前記第２保持突起部の先端から離間可能とすることを特徴とする携帯端末用ケースである。
【０００７】
本考案に係る請求項２は、前記第２平板の他方側端に並設される矩形状のカバー平板、前記第２平板の他方側端及び前記カバー平板の一方側端の間に配置され、前記第２平板及び前記カバー平板を回転自在に連結する第２ヒンジ部と、を有する表側カバー本体を備え、前記カバー平板は、前記第１保持体側へ回転されて、前記第１及び第２平板の裏面に載置された前記携帯端末の端末表面を覆い、及び前記第１保持突起部に載置されることを特徴とする請求項１に記載の携帯端末用ケースである。
【０００８】
本考案に係る請求項３は、前記第２ヒンジ部は、前記カバー平板の前記第１保持体への回転に伴って、前記第２保持側部を挿入する逃穴を有することを特徴とする請求項２に記載の携帯端末用ケースである。
【０００９】
本考案に係る請求項４は、前記第１保持突起部は、永久磁石板を埋設して有し、前記カバー平板は、磁性材料でなる芯平板を有し、前記芯平板は、前記カバー平板の前記第１保持体への回転に伴って、前記永久磁石板に対向して第１保持突起部に載置され、前記永久磁石板に離間自在に吸着されることを特徴とする請求項２又は請求項３に記載の携帯端末用ケースである。
【考案の効果】
【００１０】
本考案に係る請求項１によれば、携帯端末の携帯端末用ケースへの収納は、先ず、第１平板を把持（固定）して、第２平板を回転することで、背側カバー体を第１態様（第１位置）にして、携帯端末を端末裏面から第１平板の裏面に載置して、携帯端末の端末上面、端末下面、一方端末側面及び端末表面に第１保持側部及び第１保持突起部を当接する。
続いて、第１態様から第２平板を回転して、背側カバー本体を第２態様（第２位置）にして、第２保持突起部を第１態様にて第１平板の裏面に載置された携帯端末の他方端末側面の裏面側に当接する。
続いて、第２態様から押上力にて第２平板を回転して、背側カバー本体を第２態様から第３態様（第３位置）にして、第１平板の裏面に載置された携帯端末を第２平板の裏面にも載置する。第２平板に作用する押上力によって、第２保持体は、第２保持側部を第２平板の他方側端外方に弾性変形して、第１態様にて第１平板の裏面に載置された携帯端末を第２平板の裏面にも載置可能とする。
このように、第１平板を把持（固定）して、第２平板を回転するという簡単な操作だけで、携帯端末を背側カバー本体（第１及び第２平板の裏面）に載置できる。
携帯端末の携帯端末用ケースからの取外しは、第３態様において、押下力にて第２平板を回転して、背側カバー本体を第３態様から第４態様（第４位置）にする。第２平板に作用する押下力によって、第２保持体は、第２保持側部を第２平板の他方側端外方に弾性変形して、携帯端末を第２保持側部の先端から離間可能とする。
続いて、第４態様において、携帯端末を第２平板の他方側端側に引張って、第１平板から取外す。このように、第２平板を回転するという簡単な操作で、携帯端末を取外すことができる。
【００１１】
本考案に係る請求項２によれば、表側カバー本体のカバー平板にて、第１及び第２平板の裏面に載置された携帯端末の端末表面を覆って保護できる。
【００１２】
本考案に係る請求項３によれば、カバー平板を第１保持体に向けて回転するとき、第２保持側部は、第２ヒンジ部の逃穴に挿入（挿通）できることから、第２ヒンジ部が第２保持側部に接触しない。
【００１３】
本考案に係る請求項４によれば、第１及び第２平板の裏面に載置された携帯端末の端末表面を覆ったカバー平板は、永久磁石板の吸着力により第１保持体に保持されることから、第１及び第２平板に向けて回転しない。
【図面の簡単な説明】
【００１４】
【図１】本考案に係る携帯端末用ケースの展開裏面図である。
【図２】本考案に係る携帯端末用ケースの展開表面図である。
【図３】本考案に係る携帯端末用ケースの展開裏面斜視図である。
【図４】本考案に係る携帯端末用ケースの展開上面図である。
【図５】（ａ）は、本考案に係る携帯端末用ケースの展開下面図、（ｂ）は、図５（ａ）の一部拡大図である。
【図６】本考案に係る携帯端末用ケースの展開左側面図である。
【図７】本考案に係る携帯端末用ケースの単開右側面図である。
【図８】図１のＡ−Ａ断面拡大図である。
【図９】図８の一部拡大図（第１及び第２保持体の拡大図）である。
【図１０】図１のＢ−Ｂ断面拡大図である。
【図１１】図９の一部拡大図であって、第２保持体（第２保持側部、及び第２保持突起部）を示す断面図である。
【図１２】図１のＣ−Ｃ断面拡大図である。
【図１３】図８の一部拡大図（表側カバー本体の拡大図）である。
【図１４】携帯端末（携帯電話）を示す斜視図である。
【図１５】（ａ）は、背側カバー本体を第１態様（第１位置）にした展開下面図、（ｂ）は、第１態様（第１位置）にて携帯端末を第１平板の裏面に載置した展開下面図である。
【図１６】（ａ）は、背側カバー本体を第１態様から第２態様（第２位置）にした展開下面図、（ｂ）は、図１６（ａ）の一部拡大図である。
【図１７】（ａ）は、背側カバー本体を第２態様から第３態様にする途中において、第２保持突起部を、第１態様にて第１平板の裏面に載置された携帯端末の他方端末側面に摺動して、第２保持側部を弾性変形した展開下面図、（ｂ）は、図１７（ａ）の一部拡大図である。
【図１８】背側カバー本体を第２態様から第３態様（第３位置）にした展開下面図、（ｂ）は、図１８（ａ）の一部拡大図である。
【図１９】背側カバー本体を第３態様（第３位置）にして、携帯端末を第１及び第２平板の裏面に載置した裏面斜視図である。
【図２０】第１及び第２平板の裏面に載置された携帯端末の端末表面、及び他方端末側面を、表側カバー本体のカバー平板及び第２ヒンジ部で覆った表面図である。
【図２１】第１及び第２平板の裏面に載置された携帯端末の端末表面、及び他方端末側面を、表側カバー本体のカバー平板及び第２ヒンジ部で覆った表面斜視図である。
【図２２】第１及び第２平板の裏面に載置された携帯端末の端末表面、及び他方端末側面を、表側カバー本体のカバー平板及び第２ヒンジ部で覆った下面図である。
【図２３】図２０のＤ−Ｄ断面拡大図である。
【図２４】図２０のＥ−Ｅ断面拡大図である。
【図２５】（ａ）は、背側カバー本体を第３態様から第４態様にする途中において、第２保持突起部を、第３態様にて第１及び第２平板の裏面に載置された携帯端末の他方端末側面に摺動して、第２保持側部を弾性変形した展開下面図、（ｂ）は、図２５（ａ）の一部拡大図である。
【図２６】背側カバー本体を第４態様（第４位置）にした展開下面図である。
【考案を実施するための形態】
【００１５】
本発明に係る携帯端末用ケースについて、図１乃至図２６を参照して説明する。
図２０乃至図２４において、携帯端末用ケースＸは、携帯端末Ｙを収納して保護する。
図１乃至図２６において、携帯端末用ケースＸは、背側カバー本体１、第１保持体２、第２保持体３、表側カバー本体４、表装シート材８、及び裏装シート材９を含んで構成される。
【００１６】
＜携帯端末Ｙ＞
携帯端末Ｙは、図１４に示すように、略直方体状に形成され、例えば、携帯電話（スマートフォン）でなる。携帯端末Ｙは、端末表面Ｙ１、端末裏面Ｙ２、一方端末側面Ｙ３（端末右側面）、他方端末側面Ｙ４（端末左側面）、端末上面Ｙ５、及び端末下面Ｙ６を有する。
携帯端末Ｙにおいて、一方端末側面Ｙ３、他方端末側面Ｙ４、端末上面Ｙ５及び端末下面Ｙ６は、例えば、突出する円孤状面（円孤突状の他方端末側面Ｙ４）に形成される。
携帯端末Ｙは、端末表面Ｙ１に表示画面Ｙ７（例えば、液晶表示画面）を有する。
【００１７】
＜各シート材８，９＞
表装シート材８、９は、図１乃至図１３に示すように、同一形状に形成される。表装シート材８は、可撓性シート材（例えば、合成皮革シート）で形成され、矩形シート部１１、第１保持シート部１６及び第２保持シート部１８を有する。
裏装シート材９は、可撓性シート材（例えば、フェルト生地シート）で形成され、矩形シート部１２、第１保持シート部１７及び第２保持シート部１９を有する。各シート材８，９において、各第１保持シート部１６，１７は、図９に示すように、各矩形シート部１１，１２の他方のシート側端１１Ｂ，１２Ｂ（右側端）に連続して一体形成される。
表装シート材８、及び裏装シート材９は、各矩形シート部１１，１２を対向し、各第１保持シート部１６，１７を対向し、及び各第２保持シート部１８，１９を対向して配置される。各シート材８，９は、左右方向ＬＲにおいて、各矩形シート部１１，１２の一方のシート側端１１Ａ，１２Ａ同士（シート左側端同士）を面一に平行し、及び他方のシート側端１１Ｂ，１２Ｂ同士（シート右側端同士）を面一に平行して配置される。各シート材８，９は、上下方向ＵＤにおいて、各矩形シート部１１，１２のシート上端同士を面一に平行し、及びシート下端同士を面一に平行にして配置される。
【００１８】
＜背側カバー本体１＞
背側カバー本体１は、図１乃至図６、及び図８乃至図１０に示すように、矩形状に形成され、第１平板５、第２平板６、及び第１ヒンジ部７を有する。背側カバー本体１は、左右方向ＬＲの板幅を、携帯端末Ｙの各端末側面Ｙ３，Ｙ４間の端末幅より狭い寸法（小さい寸法）として形成される。
背側カバー本体１は、携帯端末Ｙを端末裏面Ｙ２から第１及び第２平板５，６の裏面５Ｙ、６Ｙに載置する（図１８、図１９、図２１乃至図２４参照）。
【００１９】
第１平板５は、図１乃至図５、及び図８乃至図１０に示すように、矩形状に形成される。第１平板５は、表装シート材８の矩形シート部１１、裏装シート材９の矩形シート部１２、及び芯平板１０を有して構成される。
【００２０】
芯平板１０は、図１、図２、及び図８乃至図１０に示すように、矩形状に形成され、例えば、金属平板（鋼薄板）でなる。芯平板１０は、左右方向ＬＲにおいて、各矩形シート部１１，１２の他方のシート側端１１Ｂ，１２Ｂ側（シート右側端側）に配置される。
芯平板１０は、図９及び図１０に示すように、板表面１０Ｘを、表装シート材８の矩形シート部１１のシート裏平面１１Ｙに対向し、及び板裏面１０Ｙを、裏装シート材９の矩形シート部１２のシート表平面１２Ｘに対向して、各シート材８，９の矩形シート部１１，１２の間に配置される。
芯平板１０は、他方の板側端１０Ｂを各シート材８，９の矩形シート部１１，１２の他方のシート側端１１Ｂ，１２Ｂに平行して配置される。
芯平板１０は、左右方向ＬＲに板幅を有して、上下方向ＵＤにおいて、各シート材８，９の矩形シート部１１，１２のシート上端及びシート下端の間にわたって延在される。
芯平板１０は、板表面１０Ｘを矩形シート部１１のシート裏平面１１Ｙ（表装シート材８）に接着し、及び板裏面１０Ｙを矩形シート部１２のシート表平面１２Ｘ（裏装シート材９）に接着して、各シート材８，９（各矩形シート部１１，１２）に固着（固定）される。
芯平板１０は、各シート材８，９の矩形シート部１１，１２の他方のシート側端１１Ｂ，１２Ｂ側にて覆われ、各矩形シート部１１，１２に固着（固定）される。
【００２１】
これにより、第１平板５は、左右方向ＬＲにおいて、各シート材８，９の矩形シート部１１，１２の他方のシート側端１１Ｂ，１２Ｂ側（各矩形シート部１１，１２の一部）と、各矩形シート部１１，１２の間に配置される芯平板１０にて構成される。
芯平板１０の一方の板側端１０Ａ（左側端）及び他方の板側端１０Ｂ（右側端）は、第１平板５の一方側端５Ａ（左側端）及び他方側端５Ｂ（右側端）となる。
第１平板５の板幅は、携帯端末Ｙの各端末側面Ｙ３，Ｙ４の間の端末幅より狭い寸法（小さい寸法）であって、例えば、携帯端末Ｙの各端末側面Ｙ３，Ｙ４間の端末幅の半分の寸法である。
表装シート材８において、矩形シート部１１のシート表平面１１Ｘは、第１平板５の表面５Ｘとなり、裏装シート材９において、矩形シート部１２のシート裏平面１２Ｙは、第１平板５の裏面５Ｙとなる。
【００２２】
第２平板６は、図１乃至図５、図８及び図９に示すように、矩形状に形成される。第２平板６は、左右方向ＬＲにおいて、第１平板５の一方側端５Ａ（左側端）に並設される。
第２平板６は、一方側端６Ａ（右側端）を第１平板５の一方側端５Ａに平行して配置される。第２平板６は、左右方向ＬＲにおいて、第１平板５に間隔を隔てて配置される。
第２平板６は、各シート材８，９の矩形シート部１１，１２、及び芯平板１５を有して構成される。
【００２３】
芯平板１５は、図１、図２、図８及び図９に示すように、矩形状に形成され、例えば、金属平板（鋼薄板）でなる。芯平板１５は、左右方向ＬＲにおいて、芯平板１０の一方の板側端１０Ａに並設される。
芯平板１５は、左右方向ＬＲにおいて、芯平板１０に間隔を隔てて配置される。
芯平板１５は、図９に示すように、板表面１５Ｘを、表装シート材８の矩形シート部１１のシート裏平面１１Ｙに対向し、及び板裏面１５Ｙを、裏装シート材９の矩形シート部１２のシート表平面１２Ｘに対向して、各矩形シート部１１，１２の間に配置される。
芯平板１５は、左右方向ＬＲに板幅を有して、上下方向ＵＤにおいて、各シート材８，９の矩形シート部１１，１２のシート上端及びシート下端の間にわたって延在される。
芯平板１５は、板表面１５Ｘを矩形シート部１１のシート裏平面１１Ｙ（表装シート材８）に接着し、及び板裏面１５Ｙを矩形シート部１２のシート表平面１２Ｘ（裏装シート材９）に接着して、各シート材８，９（各矩形シート部１１，１２）に固着（固定）されている。
芯平板１５は、各シート材８，９の矩形シート部１１，１２で覆われ、各矩形シート部１１，１２に固着（固定）される。
【００２４】
これにより、第２平板６は、各シート材８，９の矩形シート部１１，１２の一部と、各矩形シート部１１，１２の間に配置される芯平板１５にて構成される。
芯平板１５の一方の板側端１５Ａ（右側端）及び他方の板側端１５Ｂ（左側端）は、第２平板６の一方側端６Ａ（右側端）及び他方側端６Ｂ（左側端）となる。
表装シート材８の矩形シート部１１のシート表平面１１Ｘは、第２平板６の表面６Ｘとなり、裏装シート材９の矩形シート部１２のシート裏平面１２Ｙは、第２平板６の裏面６Ｙとなる。
【００２５】
第１ヒンジ部７は、図１乃至図５、図８及び図９に示すように、左右方向ＬＲにおいて、第１平板５の一方側端５Ａ及び第２平板６の一方側端６Ａの間に配置される。第１ヒンジ部７は、第１平板５及び第２平板６を回転自在に連結する。
第１ヒンジ部７は、図８及び図９に示すように、各シート材８，９の矩形シート部１１，１２にて構成される。第１ヒンジ部７は、左右方向ＬＲにおいて、第１及び第２平板５，６の間に位置する各矩形シート部１１，１２にて形成される。
第１及び第２平板８，９の間に位置する各矩形シート部１１，１２は、相互に接着（固着）されて、第１ヒンジ部７を構成する。
第１ヒンジ部７は、左右方向ＬＲにヒンジ幅を有して、上下方向ＵＤにおいて、各シート材８，９（矩形シート部１１，１２）のシート上端及びシート下端の間にわたって延在される。
【００２６】
これにより、第１ヒンジ部７において、第１及び第２平板５，６の間に位置する各矩形シート部１１，１２（各シート材８，９）は、第１及び第２平板５，６を回転自在に連結する。
第１平板５は、第１ヒンジ部７を回転中心として、第２平板６の表面６Ｘ又は裏面６Ｙに向けて回転できる。
第２平板６は、第１ヒンジ部７を回転中心として、第１平板５の表面５Ｘ又は裏面５Ｙに向けて回転できる。
【００２７】
＜第１保持体２＞
第１保持体２は、第１平板５の裏面５Ｙに載置された携帯端末Ｙを保持する（図１５、図１９、図２２乃至図２４参照）。
第１保持体２は、図１乃至図１０に示すように、第１保持側部２１、及び第１保持突起部２２を有する。
【００２８】
第１保持側部２１は、図１乃至図１０に示すように、第１平板５の裏面５Ｙに載置された携帯端末Ｙの一方端末側面Ｙ３、端末上面Ｙ５及び端末下面Ｙ６に当接する（図１９、図２２乃至図２４参照）。
第１保持側部２１は、図１乃至図１０に示すように、第１平板５の他方側端５Ｂ側、上端５Ｃ側及び下端５Ｄ側に配置される。第１保持側部２１は、前後方向ＦＲにおいて、第１平板５の裏面５Ｙに立設される。
第１保持側部２１は、前後方向ＦＲにおいて、第１平板５の裏面５Ｙから前方側に延出される。
【００２９】
第１保持側部２１は、図１乃至図１０に示すように、上端側部２１Ａ、下端側部２１Ｂ及び右端側部２１Ｃを有する。上端側部２１Ａは、上下方向ＵＤにおいて、第１平板５の上端５Ｃ側に配置され、下端側部２１Ｂは、上下方向ＵＤにおいて、第１平板５の下端５Ｄ側に配置される。右端側部２１Ｃは、左右方向ＬＲにおいて、第１平板５の他方側端５Ｂ側に配置される。右端側部２１Ｃは、上下方向ＵＤにおいて、上端側部２１Ａ及び下端側部２１Ｂの間にわたって延在される。
各側部２１Ａ〜２１Ｃは、前後方向ＦＲにおいて、第１平板５の裏面５Ｙから立設して、第１平板５に固定される。
第１保持側部２１において、上端側部２１Ａは、第１平板５の裏面５Ｙに載置された携帯端末Ｙの端末上面Ｙ５に当接され、下端側部２１Ｂは、携帯端末Ｙの端末下面Ｙ６に当接され、及び右端側部２１Ｃは、携帯端末Ｙの一方端末側面Ｙ３（端末右側面）に当接され、第１平板５の裏面５Ｙに載置された携帯端末Ｙを保持する（図１５、図１９、図２２乃至図２４参照）。
【００３０】
第１保持突起部２２は、第１平板５の裏面５Ｙに載置された携帯端末Ｙの端末表面Ｙ１に当接する（図１５、図１９、図２２乃至図２４参照）。
第１保持突起部２２は、図１乃至図１０に示すように、前後方向ＦＲにおいて、第２保持側部３１の先端に一体に設けられる。第１保持突起部２２は、第１平板５の裏面５Ｙに間隔（端末収納空間）を隔てて対向配置される。
【００３１】
第１保持突起部２２は、図１乃至図１０に示すように、上側突起２２Ａ、下側突起２２Ｂ及び右側突起２２Ｃを有し、各突起２２Ａ〜２２Ｃは一体に形成される。
上側突起２２Ａは、前後方向ＦＲにおいて、上端側部２１Ａの先端に一体に設けられ、上下方向ＵＤにおいて、第１平板５の下端５Ｄ側に突出される。
下側突起２２Ｂは、前後方向ＵＤにおいて、下端側部２１Ｂの先端に一体に設けられ、上下方向ＵＤにおいて、第１平板５の上端５Ｃ側に突出される。
右側突起２２Ｃは、前後方向ＵＤにおいて、右端側部２１Ｃの先端に一体に設けられ、左右方向ＬＲにおいて、第１平板５の一方側端５Ａ側に突出される。右側突起２２Ｃは、上下方向ＵＤにおいて、上側突起２２Ａ及び下側突起２２Ｂの間にわたって延在され、上側突起２２Ａ及び下側突起２２Ｂに一体に設けられる。
【００３２】
第１保持突起部２２は、図８乃至図１０に示すように、複数の永久磁石板２５、及び補強芯平板２６を有する。第１保持突起部２２において、各永久磁石板２５は、図１０に示すように、上側突起２２Ａ及び下側突起２２Ｂに埋設される。各永久磁石板２５は、上下方向ＵＤに板幅を有して、左右方向ＬＲに延在される。
第１保持突起部２２において、補強芯平板２６は、図９に示すように、例えば、金属平板（鋼薄板）で形成され、右側突起２２Ｃに埋設される。補強芯平板２６は、左右方向ＬＲに板幅を有して、上下方向ＵＤに延在される。
【００３３】
第１保持突起部２２において、上側突起２２Ａは、第１平板５の裏面５Ｙに載置された携帯端末Ｙの端末上面Ｙ５側に位置して、携帯端末Ｙの表示画面Ｙ７に沿って端末表面Ｙ１に当接される（図１９及び図２３参照）。
下側突起２２Ｂは、第１平板５の裏面５Ｙに載置された携帯端末Ｙの端末下面Ｙ６側に位置して、携帯端末Ｙの表示画面Ｙ７に沿って端末表面Ｙ１に当接される（図１９及び図２２参照）。
右側突起２２Ｃは、第１平板５の裏面５Ｙに載置された携帯端末Ｙの一方端末側面Ｙ３側に位置して、携帯端末Ｙの表示画面Ｙ７に沿って端末表面Ｙ１に当接される（図１９及び図２４参照）。
【００３４】
第１保持体２において、第１保持側部２１、及び第１保持突起部２２は、図８乃至図１０に示すように、各シート材８，９の第１保持シート部１６，１７等で構成される。
第１保持側部２１、及び第１保持突起部２２は、各第１保持シート部１６，１７を各矩形シート部１１，１２の他方のシート側端１１Ｂ，１２Ｂから第１平板５の裏面５Ｙ側に曲げて、第１保持側部２１の右端側部２１Ｃを形成する。
これにより、右端側部２１Ｃは、前後方向ＦＲにおいて、第１平板５の裏面５Ｙから立設される。
続いて、各第１保持シート部１６，１７を、第１保持側部２１の右端側部２１Ｃの先端から第１平板５の裏面５Ｙ側に曲げて、第１保持突起部２２の各突起２２Ａ〜２２Ｃを形成する。
これにより、第１保持突起部２２において、各突起２２Ａ〜２２Ｃは、前後方向ＦＲにおいて、第１平板５の裏面５Ｙに間隔（端末収納空間）を隔てて配置され、第１平板５の前方側に位置される。
続いて、各第１保持シート部１６，１７を、第１保持突起部２２の上側突起２２Ａ及び下側突起２２Ｂから第１平板５の裏面５Ｙに曲げて、第１保持側部２１の上端側部２１Ａ，２１Ｂを形成する。上端側部２１Ａ、及び下端側部２１Ｂは、前後方向ＦＲにおいて、第１平板５の裏面５Ｙに向けて曲げられ、第１平板５に固定される。
これにより、上端側部２１Ａ、及び下端側部２１Ｂは、前後方向ＦＲにおいて、第１平板５の裏面５Ｙから立設される。
第１保持側部２１において、上端側部２１Ａ、下端側部２１Ｂ、及び右端側部２１Ｃは、各シート材８，９の第１保持シート部１６，１７で構成され、シート表平面１６Ｘ及びシート裏平面１７Ｙを接着して構成される。
第１保持突起部２２において、上側突起２２Ａ、及び下側突起２２Ｂは、各シート材８，９の第１保持シート部１６，１７で構成され、永久磁石板２５を埋設して有する。各永久磁石板２５は、上側突起２２Ａ及び下側突起２２Ｂを構成する各第１保持シート部１６，１７の間に配置される。各永久磁石板２５は、板表面及び板裏面を各第１保持シート部１６，１７のシート裏平面１６Ｙ、及びシート表平面１７Ｘに接着して、各第１保持シート部１６，１７に固着（固定）される。
第１保持突起部２２において、右側突起２２Ｃは、各第１保持シート部１６，１７、及び補強芯平板２６で構成される。補強芯平板２６は、各第１保持シート部１６，１７の間に配置される。補強芯平板２６は、板表面及び板裏面を各第１保持シート部１６，１７のシート裏平面１６Ｙ及びシート表平面１７Ｘに接着して、各第１保持シート部１６，１７に固着される。補強芯平板２６は、上下方向ＵＤにおいて、上側突起２２Ａ及び下側突起２２Ｂの間にわたって延在される。
【００３５】
＜第２保持体３＞
第２保持体３は、第１及び第２平板５，６の裏面５Ｙ，６Ｙに載置された携帯端末Ｙを保持する（図１８、図１９、図２２乃至図２４参照）。
第２保持体３は、図１乃至図６、図８、図９、図１１及び図１２に示すように、第２保持側部３１、及び第２保持突起部３２を有する。
【００３６】
第２保持側部３１は、左右方向ＬＲから第１及び第２平板５，６の裏面５Ｙ，６Ｙに載置された携帯端末Ｙの他方端末側面Ｙ４（円孤突状の他方端末側面Ｙ４）に当接する（図１８、図１９、図２２乃至図２４参照）。
第２保持側部３１は、左右方向ＬＲにおいて、第２平板６の他方側端６Ｂ（左側端）に配置される。
第２保持側部３１は、上下方向ＵＤにおいて、第２平板６の中央に配置される。
第２保持側部３１は、前後方向ＦＲにおいて、第１保持側部２１（右端側部２１Ｃ）に対峙して第２平板６の裏面６Ｙに立設される。
第２保持側部３１は、上下方向ＵＤにおいて、第２平板６の中央から上側及び下側に側幅を有し、及び前後方向ＦＲにおいて、第２平板６の裏面６Ｙから前方側（第１保持体２側）に延出される。
【００３７】
第２保持側部３１は、図８、図９、図１１及び図１２示すように、各シート材８，９の第２保持シート部１８，１９、及び芯平板３５（第２保持平板）で構成される。
各第２保持シート部１８，１９は、各矩形シート部１１，１２に連続して一体形成される。
各第２保持シート部１８，１９は、上下方向ＵＤにおいて、各矩形シート部１１，１２（第２平板６）の中央に配置される。各第２保持シート部１８，１９は、左右方向ＬＲにおいて、第２平板６の他方側端６Ｂ（芯平板１５他方の板側端１５Ｂ）に位置する各矩形シート部１１，１２から一方のシート側端１１Ａ，１２Ａ側に延出される。各第２保持シート部１８，１９は、上下方向ＵＤに延在される。
各第２保持シート部１８，１９は、シート裏平面１８Ｙ及びシート表平面１９Ｘを対向して配置される。
第２保持側部３１において、芯平板３５は、図９、図１１及び図１２に示すように、第１平板５の芯平板１５に連続して一体形成される。芯平板３５は、上下方向ＵＤにおいて、芯平板１５（第２平板６）の中央に配置される。芯平板３５は、左右方向ＬＲにおいて、芯平板１５の他方の板側端１５Ｂから矩形シート部１１，１２の一方のシート側端１１Ａ，１２Ａ側に延出される。芯平板３５は、上下方向ＵＤに延在される。
第２保持側部３１において、芯平板３５は、各第２保持シート部１８，１９の間に配置される。芯平板３５は、板表面３５Ｘ及び板裏面３５Ｙを各第２保持シート部１８，１９のシート裏平面１８Ｙ及びシート表平面１９Ｘに接着して、各第２保持シート部１８，１９に固着（固定）されている。
第２保持側部３１は、第２平板６の他方側端６Ｂ（左側端）から各第２保持シート部１８，１９及び芯平板３５を第２平板６の裏面６Ｙ側（第１保持体２側）に曲げて、第２平板６の裏面６Ｙに立設される。
【００３８】
第２保持突起部３２は、図１、図３乃至図５、図８、図９、図１１及び図１２に示すように、前後方向ＦＲにおいて、第２保持側部３１の先端側（第１保持体２側）に設けられる。
第２保持突起部３２は、左右方向ＬＲにおいて、第１保持体２側（第２平板６の一方側端６Ａ側）に突出される。
第２保持突起部３２は、上下方向ＵＤにおいて、第２保持側部３１の両端の間にわたって形成される。
第２保持突起部３２は、第１傾斜面３２Ａ（前方傾斜面）、及び第２傾斜面３２Ｂ（後方傾斜面）を有する。第１傾斜面３２Ａは、左右方向ＬＦ及び上下方向ＵＤにおいて、第２保持側部３１の先端側から第２平板６の一方側端６Ａ及び裏面６Ｙに延在しつつ傾斜される。第２傾斜面３２Ｂは、第１傾斜面３２Ａに連続し、左右方向ＬＦ及び上下方向ＵＤにおいて、各矩形シート部１１，１２の一方のシート側端１１Ａ，１２Ａ及び第２平板６の裏面６Ｙに延在しつつ傾斜される。
【００３９】
第２保持突起部３２は、図８、図９、図１１及び図１２に示すように、突起芯材３７、及びシート材９の第２保持シート部１９で構成される。
突起芯材３７は、例えば、金属（例えば、鋼）で形成され、上下方向ＵＤにおいて、芯平板３５の先端側に一体形成される。
突起芯材３７は、上下方向ＵＤにおいて、芯平板３５の両端の間に延在される。突起芯材３７は、左右方向ＬＲにおいて、第２平板６の一方側端５Ａ側に突出する三角形状に形成され、第１突起傾斜面３７Ａ及び第２突起傾斜面３７Ｂを有する。突起芯材３７は、芯平板３５及びシート材９の第２保持シート部１９の間に配置される。突起芯材３７は、第１及び第２突起傾斜面３７Ａ，３７Ｂを第２保持シート部１９のシート表平面１９Ｘに接着して、第２保持シート部１９に固着（固定）される。
これにより、第２保持突起部３２の第１及び第２傾斜面３２Ａ，３２Ｂは、突起芯材３７の第１及び第２突起傾斜面３７Ａ，３７Ｂ、及び第１及び第２突起傾斜面３７Ａ，３７Ｂに接着された第２保持シート部１９にて形成される。
【００４０】
第２保持体３において、第２保持側部３１は、左右方向ＦＲから第１及び第２平板５，６の裏面５Ｙ，６Ｙに載置された携帯端末Ｙの他方端末側面Ｙ４（円孤突状の端末側面Ｙ４）に当接する（図１８参照）。
第２保持体３において、第２保持突起部３２は、前後方向ＦＲから第１及び第２平板５，６の裏面５Ｙ，６Ｙに載置された携帯端末Ｙの他方端末側面Ｙ４の表面側（前方側）に当接する（図１８参照）。
【００４１】
第２保持体３において、第２保持側部３１は、第２保持突起部３２の第１傾斜面３２Ａ又は第２傾斜面３２Ｂに作用する一定力を超える押上力Ｆ１又は押下力Ｆ２によって、第２平板６の他方側端６Ｂ外方（左右方向ＬＲの一方のシート側端１１Ａ，１２Ａ側）に弾性変形することが可能な形状及び寸法に形成されている。第２保持側部３１は、左右方向ＬＲにおいて、芯平板３５の板厚、及び上下方向ＵＤにおいて、芯平板５３の長さ寸法を調整して、弾性変形を可能とする。
【００４２】
＜表側カバー本体４＞
表側カバー本体４は、第１及び第２平板５，６の裏面５Ｙ，６Ｙに載置された携帯端末Ｙの端末表面Ｙ２及び他方端末側面Ｙ４を覆って、携帯端末Ｙの表示画面Ｙ７及び他方端末側面Ｙ４を保護する（図２０乃至図２４参照）。
表側カバー本体４は、図１乃至図６、図８及び図１３に示すように、矩形状に形成され、カバー平板５１、及び第２ヒンジ部５２を有する。
【００４３】
カバー平板５１は、矩形状に形成される。カバー平板５１は、左右方向ＬＲにおいて、第２平板６（背側カバー本体１）の他方側端６Ｂ（左側端）に並設される。
カバー平板５１は、一方側端５１Ａ（右側端）を第２平板６の他方側端６Ｂに平行して配置される。カバー平板５１は、左右方向ＬＲにおいて、第２平板６に間隔を隔てて配置される。
カバー平板５１は、図８及び図１３に示すように、芯平板５３、表装シート材８の矩形シート部１１、及び裏装シート材９の矩形シート部１２を有して構成される。
【００４４】
芯平板５３は、図１、図２、図８及び図１３に示すように、矩形状に形成され、例えば、磁性材料の金属平板（鋼薄板）でなる。芯平板５３は、左右方向ＬＲにおいて、芯平板１５の他方の板側端１５Ｂに並設される。
芯平板５３は、板表面５３Ｘを、表装シート材８の矩形シート部１１のシート裏平面１１Ｙに対向し、及び板裏面５３Ｙを、裏装シート材９の矩形シート部１２のシート表平面１２Ｘに対向して、各矩形シート部１１，１２の間に配置される。
芯平板５３は、左右方向ＬＲにおいて、各矩形シート部１１，１２の一方のシート側端１１Ａ，１２Ａに至る板幅を有する。芯平板５３は、上下方向ＵＤにおいて、各シート材８，９の各矩形シート部１１，１２のシート上端及びシート下端の間にわたって延在される。
芯平板５３は、図１３に示すように、板表面５３Ｘを矩形シート部１１のシート裏平面１１Ｙ（表装シート材８）に接着し、及び板裏面５３Ｙを矩形シート部１１のシート表平面１２Ｘ（裏装シート材９）に接着して、各シート材８，９（各矩形シート部１１，１２）に固着（固定）される。
芯平板５３は、各シート材８，９の矩形シート部１１，１２で覆われ、各矩形シート部１１，１２に固着（固定）される。
【００４５】
これにより、カバー平板５１は、各シート材８，９の矩形シート部１１，１２の一方のシート側端１１Ａ，１２Ａ側（各矩形シート部１１，１２の一部）と、各矩形シート部１１，１２の間に配置される芯平板５３にて構成される。
芯平板５３の一方の板側端５３Ａ（右側端）、及び各矩形シート部１１，１２の一方のシート側端１１Ａ，１２Ａ（左側端）は、カバー平板５１の一方側端５１Ａ及び他方側端５１Ｂとなる。
表装シート材８の矩形シート部１１のシート表平面１１Ｘは、カバー平板５１の表面５１Ｘとなり、裏装シート材９の矩形シート部１２のシート裏平面１２Ｙは、カバー平板５１の裏面５１Ｙとなる。
【００４６】
第２ヒンジ部５２は、図１乃至図５、図８及び図１３に示すように、左右方向ＬＲにおいて、第２平板６の他方側端６Ｂ（左側端）及びカバー平板５１の一方側端５１Ａ（右側端）の間に配置される。第２ヒンジ部５２は、第２平板６及びカバー平板５１を回転自在に連結する。
第２ヒンジ部５２は、図８及び図１３に示すように、各シート材８，９の矩形シート部１１，１２で構成される。第２ヒンジ部５２は、左右方向ＬＲにおいて、第２平板６及びカバー平板５１の間に位置する各矩形シート部１１，１２にて形成される。
第２平板６及びカバー平板５１の間に位置する各矩形シート部１１，１２は、相互に接着されて、第２ヒンジ部５２を構成する。
第２ヒンジ部５２は、左右方向ＬＲにヒンジ幅を有して、上下方向ＵＤにおいて、各シート材８，９（矩形シート部１１，１２）のシート上端及びシート下端の間にわたって延在される。第２ヒンジ部５２のヒンジ幅は、携帯端末Ｙの端末表面Ｙ１及び端末裏面Ｙ２間の寸法より広い寸法（大きい寸法）である。
第２ヒンジ部５２は、図１乃至図３、図８及び図１３に示すように、逃穴５４を有する。逃穴５４は、上下方向ＵＲにおいて、第２保持側部３１に対向して配置される。逃穴５４は、前後方向ＦＲにおいて、各シート材８，９の矩形シート部１１，１２を貫通して、シート表平面１１Ｘ及びシート裏平面１２Ｙに開口される。逃穴５４は、第２保持側部３１を挿通自在とする穴形状に形成される。
【００４７】
これにより、第２ヒンジ部５２において、第２平板６及びカバー平板５１の間に位置する各矩形シート部１１，１２（各シート材８，９）は、第２平板６及びカバー平板５１を回転自在に連結する。
第２平板６は、第２ヒンジ部５２を回転中心として、カバー平板５１の表面５１Ｘ及び裏面５１Ｙに向けて回転できる。
カバー平板５１は、第２ヒンジ部５２を回転中心として、第２平板６の表面６Ｘ及び裏面６Ｙに向けて回転できる。
【００４８】
表側カバー本体４において、カバー平板５１は、第１保持体２側（第２平板６の裏面６Ｙ側）へ回転され、第１及び第２平板５，６の裏面５Ｙ，６Ｙに載置された携帯端末Ｙの端末表面Ｙ７（表示画面Ｙ７）を覆い、及び第１保持体２の第１保持突起部２２に載置される（図２１乃至図２４参照）。
このとき、カバー平板５１の芯平板５３（磁性材料）は、上側突起２２Ａ及び下側突起２２Ｂの各永久磁石板２５に対向して、第１保持突起部２２に載置される。第１保持突起部２２に載置された芯平板５３（カバー平板５１）は、永久磁石板２５に離間自在に吸着される。
【００４９】
次に、携帯端末Ｙ（携帯電話）を、携帯端末用ケースＸに収納し、又は携帯端末用ケースＸから取外すことについて、図１５乃至図２６を参照して説明する。
【００５０】
＜携帯端末Ｙの収納＞
携帯端末Ｙを携帯端末用ケースＸに収納する際において、背側カバー本体１は、図１５、図１６及び図１８に示すように、第１態様Ｐ１（第１位置）、第２態様Ｐ２（第２位置）、及び第３態様Ｐ３（第３位置）にされる。
【００５１】
先ず、背側カバー本体１は、図１５に示すように、第１態様Ｐ１にされる。
背側カバー本体１は、第２平板６（及び表側カバー本体４）を回転して、携帯端末Ｙの一方端末側面Ｙ３から第１平板５及び第１保持突起部２２の間に装着し、携帯端末Ｙの端末上面Ｙ５、端末下面Ｙ４及び一方端末側面Ｙ３を第１保持側部２１に当接して、第１平板５の裏面５Ｙに載置可能とする第１態様Ｐ１（第１位置）にされる。
第１態様Ｐ１では、携帯端末Ｙを端末裏面Ｙ２から第１平板５の裏面５Ｙに載置自在とする。
携帯端末Ｙを収納する者（以下、「収納者」という）は、第１平板５を把持（固定）して、第２平板を第１平板５の表面５Ｘ側へ回転して、前後方向ＵＤにおいて、第２保持体３（第２保持側部３１、第２保持突起部３２）を第１平板５より後方側に配置する（第１態様Ｐ１）。
背側カバー本体１の第１態様Ｐ１（第１位置）において、携帯端末Ｙは、図１５に示すように、携帯端末Ｙの端末裏面Ｙ２を第１平板５の裏面５Ｙに向け、及び携帯端末Ｙの一方端末側面Ｙ３を第１保持体２に向けて、第１平板５の裏面５Ｙに載置可能となる。
背側カバー本体１の第１態様Ｐ１において、収納者は、携帯端末Ｙを把持して、端末裏面Ｙ２から第１平板５の裏面５Ｙに載置する。続いて、携帯端末Ｙを第１保持体２側にずらして、携帯端末Ｙの一方端末側面Ｙ３、端末上面Ｙ４及び端末下面Ｙ５を、第１保持突起部２２及び第１平板５の間に装着（挿入）し、更に、携帯端末Ｙの一方端末側面Ｙ３、端末上面Ｙ５及び端末下面Ｙ６を第１保持側部２１に当接する。
これにより、第１保持側部２１において、上端側部２１Ａは、携帯端末Ｙの端末上面Ｙ５に当接し、下端側部２１Ｂは、携帯端末Ｙの端末下面Ｙ６に当接し、及び右端側部２１Ｃは、携帯端末Ｙの一方端末側面Ｙ３に当接する（図１９参照）。
第１保持突起部２２において、上側突起２２Ａ、下側突起２２Ｂ及び右側突起２２Ｃは、携帯端末Ｙの表示画面Ｙ７に沿って端末表面Ｙ１に当接する（図１９参照）。
【００５２】
背側カバー本体１の第１態様Ｐ１において、携帯端末Ｙを第１平板５の裏面５Ｙに載置すると、背側カバー本体１は、図１６に示すように、第１態様Ｐ１（第１位置）から第２態様Ｐ２（第２位置）にされる。
背側カバー本体１は、第１態様Ｐ１から第２平板６（及び表側カバー本体４）を回転して、第１態様Ｐ１にて第１平板５の裏面５Ｙに載置された携帯端末Ｙの他方端末側端Ｙ４の裏面側（後方側）に第２保持突起部３２を当接する第２態様Ｐ２（第２位置）にされる。
第２態様Ｐ２では、第２保持体３の第２保持突起部３２を第１平板５の裏面５Ｙに載置された携帯端末Ｙの他方端末側面Ｙ４（端末左側面）の裏面側に当接する。
収納者は、第１平板５及び携帯端末Ｙを把持（固定）して、第１態様Ｐ１から第２平板６を携帯端末Ｙの端末裏面Ｙ２に向けて回転し、携帯端末Ｙの他方端末側面Ｙ４の裏面側に第２保持突起部３２を当接する。
このとき、第２保持突起部３２は、図１６に示すように、第１傾斜面３２Ａを、第１平板５の裏面５Ｙに載置された携帯端末Ｙ４の他方端末側面Ｙ４の裏面側に当接する。
【００５３】
続いて、背側カバー本体１は、図１７及び図１８に示すように、第２態様Ｐ２（第２位置）から第３態様Ｐ３（第３位置）にされる。
背側カバー本体１は、第２態様Ｐ２において、第２平板６に作用する一定力を超える押上力Ｆ１によって、第２平板６（及び表側カバー本体４）を回転して、第１態様Ｐ１（第１位置）にて第１平板５の裏面５Ｙに載置された携帯端末Ｙを、第２平板６の裏面６Ｙにも載置する第３態様Ｐ３（第３位置）にされる。
一定力を超える押上力Ｆ１は、前後方向ＦＲの一方向（後方）から第２保持突起部３２の第１傾斜面３２Ａに作用する力であって、第２保持側部３１を左右方向ＬＲの第２平板６の他方側端６Ｂ外方（カバー平板５１の他方側端５１Ｂ側）に弾性変形できる力である。また、押上力Ｆ１は、第２平板６を、第１平板５の裏面６Ｙに載置された携帯端末Ｙの端末裏面Ｙ２に向けて回転する力（回転力）である。
収納者は、第１平板５及び携帯端末Ｙを把持（固定）して、第２平板６（及び表側カバー本体４）を押上力Ｆ１にて回転する。
【００５４】
第２保持体３は、図１７に示すように、第２態様Ｐ２から第３態様Ｐ３への第２平板６（及び表側カバー本体４）の回転に伴って、第２保持突起部３２の第１傾斜面３２Ａを第１平板５の裏面５Ｙに載置された携帯端末Ｙの他方端末側面Ｙ４（円弧?状の他方端末側面Ｙ４）に摺動して、この第２保持突起部３２の摺動にて第２保持側部３１を第２平板６の他方側端６Ｂ外方に弾性変形して、第１平板５の裏面５Ｙに載置された携帯端末Ｙを第２平板６の裏面６Ｙに載置可能とする。
このとき、第１平板５の裏面５Ｙに載置された携帯端末Ｙは、図１７に示すように、端末上面Ｙ５、端末下面Ｙ６及び他方端末側面Ｙ３を第１保持側部２１に当接していることから、第１平板５に対して左右方向ＬＲ及び上下方向ＵＤに移動しない（ズレない）。また、携帯端末Ｙは、端末表面Ｙ１を第１保持突起部２２に当接して、第１平板５に載置されていることから、第１平板５に対して前後方向ＦＲに移動しない（ズレない）。
【００５５】
更に、収納者は、一定力を超える押上力Ｆ１によって、第２平板６を回転すると、第２保持体３は、図１８に示すように、第２保持突起部３２の第１傾斜面３２Ａから第２傾斜面３２Ｂを、第１平板５の裏面５Ｙに載置された携帯端末Ｙの他方端末側面Ｙ４に当接し、第２保持側部３１の弾性変形を解除（解放）する。
このとき、携帯端末Ｙの他方端末側面Ｙ４は、第２保持突起部３２の第１傾斜面３２Ａを摺動して、第２保持側部３１を第２平板６の他方側端６Ｂ外方に弾性変形しつつ、第１傾斜面３２Ａを越える。
これにより、第２保持側部３１は、左右方向ＬＲにおいて、第２平板６の一方側端６Ａ側に移動して、弾性変形前の状態に戻される。
【００５６】
第１平板５の裏面５Ｙに載置された携帯端末Ｙは、第２保持突起部３２の第１傾斜面３２Ａを超えると、第２平板６の裏面６Ｙにも載置され、前後方向ＦＲにおいて、第２保持突起部３２及び第２平板６の間に配置される。
このとき、第２保持側部３１は、図１８に示すように、左右方向ＬＲから第２平板６の裏面６Ｙに載置された携帯端末Ｙの他方端末側面Ｙ４に当接し、及び第２保持突起部３２の第２傾斜面３２Ｂは、図１８に示すように、前後方向ＦＲから第２平板６の裏面６Ｙに載置された携帯端末Ｙの他方端末側面Ｙ４の表面側（前方側）に当接する。
【００５７】
第１及び第２平板５，６の裏面５Ｙ，６Ｙ（背側カバー本体１）に載置された携帯端末Ｙにおいて、各端末側面Ｙ３，Ｙ４は、第１保持側部２１（右端側部２１Ｃ）及び第２保持側部３１に当接されることから、携帯端末Ｙは、第１及び第２平板５，６に対して左右方向ＬＲに移動しない（ズレない）。
第１及び第２平板５，６の裏面５Ｙ，６Ｙに載置された携帯端末Ｙにおいて、端末上面Ｙ５、端末下面Ｙ６は、第１保持側部２１（上端側部２１Ａ、下端側部２１Ｂ）に当接されることから、携帯端末Ｙは、第１及び第２平板５，６に対して上下方向ＵＤに移動しない（ズレない）。
第１及び第２平板５，６の裏面５Ｙ，６Ｙに載置された携帯端末Ｙにおいて、端末表面Ｙ１は、第１保持突起部２２（各突起２２Ａ〜２２Ｃ）及び第１及び第２平板５，６の裏面５Ｙ，６Ｙに当接され、他方端末側面Ｙ４の表面側は、第２保持突起部３２（第２傾斜面３２Ｂ）に当接されることから、携帯端末Ｙは、第１及び第２平板５，６に対して前後方向ＦＲに移動しない（ズレない）。
これにより、第１及び第２保持体２，３は、第１及び第２平板５，６の裏面５Ｙ，６Ｙ（背側カバー本体１）に載置された携帯端末Ｙを、背側カバー本体１（第１及び第２平板５，６）に取外自在として保持（固定）する。
【００５８】
収納者は、携帯端末Ｙを背側カバー本体１（第１及び第２平板５，６の裏面５Ｙ，６Ｙ）に載置すると、表側カバー本体４のカバー平板５１を、第１保持体２（第１及び第２平板５，６の裏面５Ｙ，６Ｙに載置された携帯端末Ｙの端末表面Ｙ１）に向けて回転して、第１保持突起部２２に載置する。
これにより、カバー平板５１は、図２０乃至図２４に示すように、第１及び第２平板５，６の裏面５Ｙ，６Ｙに載置された携帯端末Ｙの端末表面Ｙ１を覆って、第１保持突起部２２に載置される。また、第２ヒンジ部５２は、図２１乃至図２４に示すように、第１及び第２平板５，６の裏面５Ｙ，６Ｙに載置された携帯端末Ｙの他方端末側面Ｙ４を覆う。
カバー平板５１を第１保持突起部２２に載置すると、カバー平板５１の芯平板５３
は、第１保持突起部２２の永久磁石板２５に離間自在として吸着される。
また、カバー平板５１を第１保持突起部２２に向けて回転すると、第２保持側部３１は、第２ヒンジ部５２の逃穴５４に挿入、又は挿通される。
図２０乃至図２４において、携帯端末用ケースＸは、携帯端末Ｙの各端末側面Ｙ３，Ｙ４を第１保持側部２１及び第２ヒンジ部５２で覆って保護し、携帯端末Ｙの端末表面Ｙ１（表示画面Ｙ７）をカバー平板５１で覆って保護し、及び携帯端末Ｙの端末裏面Ｙ２を第１及び第２平板５，６で覆って保護する。
【００５９】
＜携帯端末Ｙの取外＞
携帯端末Ｙを携帯端末用ケースＸから取外す際において、先ず、携帯端末Ｙを取外す者（以下、「取外者」という）は、表側カバー本体４のカバー平板５１を第１保持突起部２２から離間する方向（第1及び第２平板５，６の裏面５Ｙ，６Ｙ側）に回転する（図１９参照）。
これにより、カバー平板５１は、図１９に示すように、第１及び第２平板５，６の裏面５Ｙ，６Ｙに載置された携帯端末Ｙの端末表面Ｙ１から離間する方向に回転され、第１及び第２平板５，６（背側カバー本体１）に並設する位置に配置される。
【００６０】
続いて、背側カバー本体１は、図２６に示すように、第４態様Ｐ４（第４位置）にされる。
背側カバー本体１は、第３態様Ｐ３（第３位置）において、第２平板６に作用する一定力を超える押下力Ｆ２によって、第２平板６（及び表側カバー本体４）を回転して、第３態様Ｐ３にて第１及び第２平板５，６の裏面５Ｙ，６Ｙに載置された携帯端末Ｙを、第２保持側部３１（第２平板６の裏面６Ｙ）から離間する第４態様Ｐ４（第４位置）にされる。
一定力を超える押下力Ｆ２は、前後方向ＦＲの他方向（前方）から第２保持突起部３２に作用する力であって、第２保持側部３１を左右方向ＬＲの第２平板６の他方側端６Ｂ外方（カバー平板５１の他方側端５１Ｂ側）に弾性変形できる力である。
また、押下力Ｆ２は、第２平板６（及び表側カバー本体４）を、第２平板６の裏面６Ｙに載置された携帯端末Ｙの端末表面Ｙ１から離間する方向に回転する力（回転力）である。
取外者は、第１平板５及び携帯端末Ｙを把持（固定）して、第２平板６を押下力Ｆ２にて回転する。
【００６１】
第２保持体３は、図２５に示すように、第３態様Ｐ３から第４態様Ｐ４への第２平板６（及び表側カバー本体４）の回転に伴って、第２保持突起部３２の第２傾斜面３２Ｂを第１及び第２平板５，６の裏面５Ｙ，６Ｙに載置された携帯端末Ｙの他方端末側面Ｙ４に摺動して、この第２保持突起部３２の摺動にて第２保持側部３１を第２平板６の他方側端６Ｂ外方に弾性変形して、第１及び第２平板５，６の裏面５Ｙ，６Ｙに載置された携帯端末Ｙを第２保持側部３１の先端から離間可能とする。
【００６２】
更に、収納者は、一定力を超える押下力Ｆ２によって、第２平板６（及び表側カバー本体４）を回転すると、第２保持体３は、図２６に示すように、第２保持突起部３２の第２傾斜面３２Ｂから第１傾斜面３２Ａを第１及び第２平板５，６の裏面５Ｙ，６Ｙに載置された携帯端末Ｙの他方端末側面Ｙ４に当接し、第２保持側部３１の弾性変形を解除（解放）する。
このとき、携帯端末Ｙの他方端末側面Ｙ４は、第２保持突起部３２の第２傾斜面３２Ｂを摺動して、第２保持側部３１を第２平板６の他方側端６Ｂ外方に弾性変形しつつ、第２傾斜面３２Ｂを越える。
これにより、携帯端末Ｙは、第１平板５の裏面５Ｙに載置された状態において、第２平板６から離間し、及び第２保持側部３１の先端（第２保持突起部３２の第１傾斜面３２Ａ）から離間される。
また、第２保持側部３１は、左右方向ＬＲにおいて、第２平板６の一方側端６Ａ側に移動して、弾性変形前の状態に戻される。
背側カバー本体１を第４態様Ｐ４（第４位置）にすると、第２平板６は、携帯端末Ｙの端末裏面Ｙ２から離間され、携帯端末Ｙは、第２平板６から離間して、第１平板５の裏面５Ｙにのみ載置される。
【００６３】
第４態様Ｐ４において、取外者は、第１保持体２及び第１平板５を把持して、携帯端末Ｙを第２平板６の他方側端６Ｂ側（表側カバー本体４側）に引張る。
これにより、携帯端末Ｙは、図２６に示すように、第１保持突起部２２及び第１平板５の間から引出され、第１平板５から取外される。
このように、携帯端末Ｙを携帯端末用ケースＸから取外すことができる。
【産業上の利用可能性】
【００６４】
本考案は、携帯端末を収納して保護するのに最適である。
【符号の説明】
【００６５】
Ｘ  携帯端末用ケース
Ｙ  携帯端末（携帯電話）
Ｙ１  端末表面
Ｙ２  端末裏面
Ｙ３  一方端末側面（端末右側面）
Ｙ４  他方端末側面（端末左側面）
Ｙ５  端末上面
Ｙ６  端末下面
１  背側カバー本体
２  第１保持体
３  第２保持体
４  表側カバー本体
５  第１平板
６  第２平板
７  第１ヒンジ部
２１  第１保持側部
２２  第１保持突起部
２５  永久磁石板
３１  第２保持側部
３２  第２保持突起部
【図１】
0003212723.tif 000003
【図２】
0003212723.tif 000004
【図３】
0003212723.tif 000005
【図４】
0003212723.tif 000006
【図５】
0003212723.tif 000007
【図６】
0003212723.tif 000008
【図７】
0003212723.tif 000009
【図８】
0003212723.tif 000010
【図９】
0003212723.tif 000011
【図１０】
0003212723.tif 000012
【図１１】
0003212723.tif 000013
【図１２】
0003212723.tif 000014
【図１３】
0003212723.tif 000015
【図１４】
0003212723.tif 000016
【図１５】
0003212723.tif 000017
【図１６】
0003212723.tif 000018
【図１７】
0003212723.tif 000019
【図１８】
0003212723.tif 000020
【図１９】
0003212723.tif 000021
【図２０】
0003212723.tif 000022
【図２１】
0003212723.tif 000023
【図２２】
0003212723.tif 000024
【図２３】
0003212723.tif 000025
【図２４】
0003212723.tif 000026
【図２５】
0003212723.tif 000027
【図２６】
0003212723.tif 000028